(57)【要約】      （修正有）【課題】ゲーム機用載置ロッド位置決め構造を提供する。【解決手段】載置ロッド１０の両端に各々設置される位置決め留め金具３０を備え、２つの位置決め留め金具は２本のスライドレールロッド２０にそれぞれ挟持され、２本のスライドレールロッドの両端はクレーンゲーム機の展示筐体の壁部にそれぞれ固定される。位置決め留め金具は上部台座４０及び挟持体５０を含み、両者は回転ピボット６０により連結されて互いに上下に位置を合わせると共に相互に開閉するように可動する。上部台座は載置ロッドのロッド端に固定され、挟持体はパッキン部によりスライドレールロッドが支えられ、挟持体と載置ロッドとの間には圧縮バネが設置される。常態では、圧縮バネの解放エネルギーにより上部台座及び挟持体のパッキン部がスライドレールロッドを挟持させることで定位させる。挟持体が押圧されることで圧縮バネが圧縮されると、位置決め留め金具及び載置ロッドがスライドレールロッドに沿って移動可能となる。【選択図】図１
0003220793.tif 000002
【実用新案登録請求の範囲】
【請求項１】
載置ロッドの両端に各々設置される位置決め留め金具を備え、前記２つの位置決め留め金具は平行する２本のスライドレールロッドにそれぞれ挟持され、前記２本のスライドレールロッドの両端はゲーム機の展示筐体の前壁部及び後壁部にそれぞれ固定されるゲーム機用載置ロッド位置決め構造であって、
前記位置決め留め金具は上部台座及び挟持体を含み、前記上部台座及び前記挟持体は回転ピボットを介して上下に位置を合わせて連結されると共に前記回転ピボットの周りを相互に開閉するように可動させ、前記挟持体の一端には前記スライドレールロッドを支えるようにパッキン部が設けられ、前記挟持体の他端には圧縮バネの一端が枢着され、前記圧縮バネの他端は前記載置ロッドに径方向に予め設けられるバネ溝に貫入するように当接され、前記上部台座は前記載置ロッドのロッド端に固定され、
常態では、前記圧縮バネの解放エネルギーの弾力により前記上部台座及び前記パッキン部が前記スライドレールロッドを挟持させることで定位させ、前記挟持体が押圧されると共に前記圧縮バネが圧縮されると、前記パッキン部及び前記上部台座が前記スライドレールロッドを緩め、前記位置決め留め金具及び前記載置ロッドが前記スライドレールロッドに沿って移動可能になることを特徴とするゲーム機用載置ロッド位置決め構造。
【請求項２】
前記上部台座は上面板及びその両側にそれぞれ連結される２枚の側板を備え、前記上面板及び前記２枚の側板が囲むことで前記載置ロッドのロッド端を貫設させるための貫設空間が形成されることを特徴とする請求項１に記載のゲーム機用載置ロッド位置決め構造。
【請求項３】
前記上部台座は前記上面板に連結される背板を更に備え、前記上面板及び前記背板が囲むことによりその間には前記スライドレールロッドのロッド本体を貫通させるための貫通空間が形成され、前記２枚の側板及び前記背板の両側が分離することにより前記スライドレールロッドを貫通させるための開口部が形成され、前記上面板及び前記パッキン部は前記スライドレールロッドを挟持させることで定位させることを特徴とする請求項２に記載のゲーム機用載置ロッド位置決め構造。
【請求項４】
前記挟持体は底板及びその両側に連結される２枚の制限板を備え、前記制限板には弧形を呈する前記パッキン部が設置されることを特徴とする請求項３に記載のゲーム機用載置ロッド位置決め構造。
【請求項５】
前記２枚の制限板及び前記２枚の側板には前記回転ピボットを枢設させるための軸穴がそれぞれ設されることを特徴とする請求項４に記載のゲーム機用載置ロッド位置決め構造。
【請求項６】
前記２枚の制限板の背側がそれぞれ直角に湾曲されることで前記２枚の制限板の構造強度を強化させるための翼板が成形されることを特徴とする請求項４に記載のゲーム機用載置ロッド位置決め構造。
【請求項７】
前記底板には被装部が上向きに切り曲げ加工され、前記圧縮バネの一端が前記被装部に被装されることを特徴とする請求項４に記載のゲーム機用載置ロッド位置決め構造。
【請求項８】
前記底板には前記圧縮バネに対応させる接触部が設けられることを特徴とする請求項４に記載のゲーム機用載置ロッド位置決め構造。
【考案の詳細な説明】
【技術分野】
【０００１】
本考案は、クレーンゲーム機の部材に関し、更に詳しくは、ゲーム機展示筐体に装設される載置ロッドに関する。
【背景技術】
【０００２】
クレーンゲーム機の展示筐体にはランダムに配置されたり重ね置きされる数多くの商品が収容され、プレーヤーはクレーンを操作して目標の商品を掴み取る。
【考案の概要】
【考案が解決しようとする課題】
【０００３】
しかしながら、数多くの商品が展示筐体にランダムに配置されたり重ね置きされたりする場合、下層または後方に置かれる商品は、他の商品が載せられたり、前に置かれた商品により遮蔽されたりしてしまうことがあり、消費者が商品の品目及び種類を全て見ることができなかった。展示筐体中の商品の品目が１つではない場合、ある品目の商品が遮蔽されて消費者には見えなくなることがある。このような問題を回避させるため、ゲーム機業者では載置ロッド （或いは展示ロッド、商品ロッド）を採用して商品を展示筐体の後方領域に整理陳列し、消費が商品品目を一目で分かるようにしているほか、展示筐体中の商品のバラエティも増やせるようにしている。
【０００４】
なお、従来の載置ロッドには伸縮構造が採用され、ロッドの両端に吸盤が設置されている。吸盤が展示筐体の両側の壁部に吸着されることで、載置ロッドが展示筐体中に水平に横置される。或いは、載置ロッドの両端がねじにより壁部に螺設される。前後に水平に保たれる少なくとも２本の載置ロッドに複数の商品が載置される。
【０００５】
また、吸盤式載置ロッドの欠点は吸盤の吸着力不足であり、商品が載置される際に載置ロッドが脱落しやすかった。また、２本の載置ロッドの水平の相対距離は商品のサイズに合わせて調整し、商品を載置するために十分な支持面積を確保せねばならないため、ねじ螺設方式の載置ロッドでは調整が面倒であった。
【０００６】
そこで、本考案者は上記の欠点が改善可能と考え、鋭意検討を重ねた結果、合理的設計で上記の課題を効果的に改善する本考案の提案に到った。
【０００７】
かかる従来の実情に鑑みて、本考案は、クレーンゲーム機に応用される載置ロッドの改良方法を提供することを目的とする。
【課題を解決するための手段】
【０００８】
上記課題を解決するための本考案は、載置ロッドの両端に各々設置される位置決め留め金具を備え、前記２つの位置決め留め金具は平行する２本のスライドレールロッドにそれぞれ挟持され、前記２本のスライドレールロッドの両端はゲーム機の展示筐体の前壁部及び後壁部にそれぞれ固定される。前記位置決め留め金具は上部台座及び挟持体を含み、前記上部台座及び前記挟持体は回転ピボットを介して上下に位置を合わせて連結されると共に前記回転ピボットの周りを相互に開閉するように可動させる。前記挟持体の一端には前記スライドレールロッドを支えるようにパッキン部が設けられ、前記挟持体の他端には圧縮バネの一端が枢着される。前記圧縮バネの他端は前記載置ロッドに径方向に予め設けられるバネ溝に貫入するように当接され、前記上部台座は前記載置ロッドのロッド端に固定される。常態では、前記圧縮バネの解放エネルギーの弾力により前記上部台座及び前記パッキン部が前記スライドレールロッドを挟持させることで定位させる。前記挟持体が押圧されると共に前記圧縮バネが圧縮されると、前記パッキン部及び前記上部台座が前記スライドレールロッドを緩め、前記位置決め留め金具及び前記載置ロッドが前記スライドレールロッドに沿って移動可能になることを特徴とする。
【０００９】
好ましくは、前記上部台座は上面板及びその両側にそれぞれ連結される２枚の側板を備え、前記上面板及び前記２枚の側板が囲むことで前記載置ロッドのロッド端を貫設させるための貫設空間が形成される。
【００１０】
好ましくは、前記上部台座は前記上面板に連結される背板を更に備える。前記上面板及び前記背板が囲むことによりその間には前記スライドレールロッドのロッド本体を貫通させるための貫通空間が形成され、前記２枚の側板及び前記背板の両側が分離することにより前記スライドレールロッドを貫通させるための開口部が形成される。前記上面板及び前記パッキン部は前記スライドレールロッドを挟持させることで定位させる。
【００１１】
好ましくは、前記挟持体は底板及びその両側に連結される２枚の制限板を備え、前記制限板には弧形を呈する前記パッキン部が設置される。
【００１２】
好ましくは、前記２枚の制限板及び前記２枚の側板には前記回転ピボットを枢設させるための軸穴がそれぞれ設される。
【００１３】
好ましくは、前記２枚の制限板の背側がそれぞれ直角に湾曲されることで前記２枚の制限板の構造強度を強化させるための翼板が成形される。
【００１４】
好ましくは、前記底板には被装部が上向きに切り曲げ加工され、前記圧縮バネの一端が前記被装部に被装される。
【００１５】
好ましくは、前記底板には前記圧縮バネに対応させる接触部が設けられる。
【考案の効果】
【００１６】
本考案の効果は下述の通りである。
平行する２本の載置ロッドは両端の位置決め留め金具により前記スライドレールロッドに連結されて固定される。前記位置決め留め金具の前記挟持体が上に押圧されると、前記位置決め留め金具が緩められて前記載置ロッドが前記スライドレールロッドに沿って移動可能となり、２本の載置ロッドの間の距離が調整可能となる。
【００１７】
２本の載置ロッドがクレーンゲーム機展示筐体の後方領域に装設される場合、展示する商品が前記載置ロッド上に陳列され、掴み取る商品が載置ロッドの前にランダムに配置されたり重ね置きされる。載置ロッド上に陳列される商品は消費者が一目でその品目が分かるようになるほか、展示筐体中の商品のバラエティも増やせる。
【００１８】
前記位置決め留め金具により、前記載置ロッドが既定の位置に堅固に設置され、脱落や位置ずれを起こさなくなる。このほか、前記位置決め留め金具は力を入れずに簡単に緩めれるようになり、商品のサイズに合わせて２本の載置ロッドの相対距離を調整可能になり、商品を支持するのに十分な支持面積が提供される。
【図面の簡単な説明】
【００１９】
【図１】本考案の載置ロッド、スライドレールロッド及び位置決め留め金具の結合を示す概略図である。
【図２】本考案の位置決め留め金具を示す傾斜の分解図（一）である。
【図３】本考案の位置決め留め金具を示す傾斜の分解図（二）である。
【図４】本考案の位置決め留め金具と載置ロッドとスライドレールロッドを示す断面図（一）である。
【図５】本考案の位置決め留め金具と載置ロッドとスライドレールロッドを示す断面図（二）である。
【図６】本考案の載置ロッドとスライドレールロッドと位置決め留め金具を示す使用の概略図である。
【図７】本考案の載置ロッドとスライドレールロッドと位置決め留め金具を示す使用及び変位の上面図である。
【図８】本考案のスライドレールロッドと展示筐体の壁部を示す結合の概略図である。
【図９】本考案がゲーム機に装設される概略図である。
【考案を実施するための形態】
【００２０】
以下に図面を参照して、本考案を実施するための形態について、詳細に説明する。なお、本考案は、以下に説明する実施形態に限定されるものではない。また、実施形態においては、各部材の比率、サイズ、及びその変形量は説明が分かりやすい比率及びサイズで描写しており、これは実際のサイズではなく、本考案を制限するものでもない。
【００２１】
本考案に係るゲーム機用載置ロッド位置決め構造は、載置ロッド１０の両端に各々設置される位置決め留め金具３０を備え、前記２つの位置決め留め金具３０が２本のスライドレールロッド２０をそれぞれ挟持させることで定位させ、これにより載置ロッド１０が前記スライドレールロッド２０に定位される。前記位置決め留め金具３０が前記スライドレールロッド２０を緩めると、載置ロッド１０が前記スライドレールロッド２０に沿って移動して位置を調整可能となる（図１参照）。
【００２２】
図２乃至図５に示されるように、前記位置決め留め金具３０は上部台座４０及び挟持体５０を備え、前記上部台座４０及び前記挟持体５０の両側は回転ピボット６０により上下に位置を合わせて連結されると共に前記回転ピボットの周りを相互に開閉するように可動する。圧縮バネ６１の一端は被装部５１２に枢着されて前記挟持体５０の底板５１に定位され、前記被装部５１２は前記底板５１から上向きに切り曲げ成形される。前記圧縮バネ５１２の他端は前記載置ロッド１０に径方向に予め設けられるバネ溝１１中に貫入するように当接される。前記挟持体５０には前記上部台座４０に対してパッキン部５２３が設けられ、前記パッキン部５２３により前記スライドレールロッド２０が支えられる。
【００２３】
前記上部台座４０にはネジ穴４１が設けられ、固定部材４１１が貫設されて前記載置ロッド１０のロッド端の上縁に固定される。常態では、前記圧縮バネ６１の解放エネルギーが前記載置ロッド１０を伝って前記上部台座４０に伝達され、前記上部台座４０及び前記挟持体５０の一端が相互に離れるように引張力を受け、他端は相互に近付けられるように閉合力を受ける。前記閉合力を受けて前記パッキン部５２３が前記スライドレールロッド２０にきつく押し付けられると、前記スライドレールロッド２０が前記上部台座４０及び前記挟持体５０により挟持されることで定位される。反対に、前述の引張力とは反対方向に前記挟持体５０が押圧されて前記圧縮バネ６１が圧縮されると、前記上部台座４０及び前記挟持体５０の閉合力が解除され、前記パッキン部５２３が前記スライドレールロッド２０を緩め、前記位置決め留め金具３０及び前記載置ロッド１０が前記スライドレールロッド２０に沿って移動可能になる。
【００２４】
図２乃至図５に戻って、前記上部台座４０は上面板４２及びその両側に連結される側板４４が囲むことで前記載置ロッド１０のロッド端を貫設させるための貫設空間４５が形成される。前記側板４４の低端には前記回転ピボット６０を貫通させるための軸穴４４１が保留される。前記上部台座４０は前記上面板４２に連結される背板４３を有し、前記上面板４２及び前記背板４３が囲むことによりその間には前記スライドレールロッド２０のロッド本体を貫通させるための貫通空間４６が形成され、且つ前記２枚の側板４４及び前記背板４３の両側が分離することにより前記スライドレールロッド２０を貫通させるための開口部４７が形成される。
【００２５】
なお、前記挟持体５０は前記底板５１の両側に連結される制限板５２を更に備え、前記制限板５２には弧形を呈する前記パッキン部５２３が設けられ、弧形の前記パッキン部５２３が前記スライドレールロッド２０の輪郭の縁を支える。前述の常態のように、前記パッキン部５２３が前記閉合力を受けて前記スライドレールロッド２０にきつく押し付けられると、前記スライドレールロッド２０が前記上部台座４０の上面板４２及び前記挟持体５０により挟持されることで定位される。前記底板５１の第一端は接触部５１１を更に含み、使用者が前述の引張力とは反対方向に前記接触部５１１を押圧すると共に前記圧縮バネ６１を圧縮させると、前記上部台座４０及び前記挟持体５０の閉合力が解除され、前記パッキン部５２３が前記スライドレールロッド２０を緩め、前記位置決め留め金具３０及び前記載置ロッド１０が前記スライドレールロッド２０に沿って移動可能になる。また、前記制限板５２の低端には前記回転ピボット６０を貫通させるための軸穴５２１が保留される。前記２枚の制限板５２の背側がそれぞれ直角に湾曲されることで前記２枚の制限板５２の構造強度を強化するための翼板５２４が成形される。
【００２６】
図６乃至図９に示されるように、平行する２本の載置ロッド１０はその両端の位置決め留め金具３０により１対のスライドレールロッド２０に連結固定される。図８及び９に示されるように、スライドレールロッド２０の両端はネジ２１によりクレーンゲーム機７０の展示筐体７１の前後の壁部７２に螺設される。図７に示されるように、前記位置決め留め金具３０が緩められると前記載置ロッド１０が前記スライドレールロッド２０に沿って移動可能になり、２本の載置ロッド１０の間の距離が調整可能となる。また、図９に示されるように、２本の載置ロッド１０は、展示筐体７１の後方領域に展示したい商品が載置ロッド１０上に陳列され、掴み取る商品が載置ロッド１０の前にランダムに配置されたり重ね置きされる。載置ロッド１０上に陳列される商品は消費者が一目で品目が分かるようになるほか、展示筐体７１中の商品のバラエティも増やせる。前記位置決め留め金具３０により、前記載置ロッド１０が既定の位置に堅固に設置され、脱落又は位置ずれを起こさなくなる。このほか、前記位置決め留め金具３０は力を入れずに簡単に緩めることができ、商品のサイズに合わせて２本の載置ロッド１０の相対距離を調整し、商品を支持するための十分な支持面積が提供される。
【００２７】
以上、本考案はこのような実施形態に限定されるものではなく、考案の趣旨を逸脱しない範囲において、種々の形態で実施することができる。
【符号の説明】
【００２８】
１０  載置ロッド
１１  穴部
２０  スライドレールロッド
２１  ネジ
３０  位置決め留め金具
４０  上部台座
４１  ネジ穴
４１１  固定部材
４２  上面板
４３  背板
４４  側板
４４１  軸穴
４５  貫設空間
４６  貫通空間
４７  開口部
５０  挟持体
５１  底板
５１１  接触部
５１２  被装部
５２  制限板
５２１  軸穴
５２３  パッキン部
５２４  翼板
６０  回転ピボット
６１  圧縮バネ
７０  クレーンゲーム機
７１  展示筐体
７２  壁部
【図１】
0003220793.tif 000003
【図２】
0003220793.tif 000004
【図３】
0003220793.tif 000005
【図４】
0003220793.tif 000006
【図５】
0003220793.tif 000007
【図６】
0003220793.tif 000008
【図７】
0003220793.tif 000009
【図８】
0003220793.tif 000010
【図９】
0003220793.tif 000011